(57)【特許請求の範囲】
【請求項１】
ロータリーディスクタンブラー錠のバックアップピンの断面形状を円形にすると共に、このバックアップピンを、鍵孔の側方においてこれと平行に延在するように配設し、一方、各ロータリーディスクタンブラーの鍵挿通孔の開口端縁に、支軸の回りを揺動するときバックアップピンと干渉しないように円弧状の逃げ溝を形成し、他方、少なくとも１枚のロータリーディスクタンブラーを休止タンブラーとして指定すると共に、この休止タンブラーと交差するバックアップピンの部分をその中心軸に平行な平面で部分的に削いで断面略Ｄ字形とし、これに対応して、休止タンブラーの逃げ溝内に係止段部を形成し、コンストラクションキー装置作動時、バックアップピンをその平面部が逃げ溝とほぼ直交する角度位置に置き、休止タンブラーが係止段部を介してバックアップピンに係止され、その解錠切欠がロッキングバーの内側縁と整合する解錠角度位置をとるようにし、以て休止タンブラーに臨む部分より先のブレードを切り欠いて短くした工事専用のコンストラクションキーの使用を可能にし、また、この休止タンブラーを除く他のロータリーディスクタンブラーの内少なくとも１枚をリセットタンブラーと置換し、このリセットタンブラーに臨むバックアップピンの部分に半径方向に延伸する作動片を突設し、一方、リセットタンブラーにその回動時上記作動片と干渉する駆動突起を形成すると共に、リセットタンブラーを支軸に遊動可能に軸支し、リセットタンブラーの係合突起に臨むブレード平面部を確保した合鍵の操作時、リセットタンブラーの回動及び内筒の回動に伴うリセットタンブラーの半径方向の移動により、その駆動突起と作動片の係合によってバックアップピンを回動させ、休止タンブラーに臨む部分の平面部が逃げ溝に平行になるようにし、以て休止タンブラーとバックアップピンとの係合を解いてコンストラクションキーの使用を不可能にするようにしたことを特徴とするロータリーディスクタンブラー錠のコンストラクションキー装置。
【発明の詳細な説明】
【０００１】
【発明の属する技術分野】
この発明は、ロータリーディスクタンブラー錠におけるコンストラクションキー装置（以下単にコンス装置という）に係り、特に、合鍵で解除できるようにしたコンス装置に関する。
【０００２】
【従来の技術】
本出願人は、先に、特願２００１−３１６８８５を以て、従来の所謂レバータンブラー錠（ロータリーディスクシリンダ錠）を改良した新規なロータリーディスクタンブラー錠を提案した。
【０００３】
このロータリーディスクタンブラー錠は、図１に示すように、中央部に鍵孔を包囲し得る大きさの鍵挿通孔１を形成した環状のロータリーディスクタンブラー２を支軸３に揺動可能に軸支すると共に、自由端部外側端縁に解錠切欠４を形成し、一方、鍵挿通孔１の開口端縁に、先端の移動軌跡が鍵孔５に挿入された合鍵６のブレードの平面部又は端縁部と干渉する係合突起７を一体に突設し、各ロータリーディスクタンブラー２をこの係合突起７が合鍵６に近接する方向に付勢すると共に、常態ではバックアップピン８に係止し、他方、これらのタンブラー群の係合突起の夫々が鍵孔５に挿通された合鍵６のブレードに形成された対応する窪み９と係合したとき、各ロータリーディスクタンブラーの解錠切欠４をロッキングバー１１の内側縁と整合させるものである。
【０００４】
一方、コンストラクションキー装置とは、工事中はコンストラクションキー（工事専用鍵）という特殊な鍵で各住戸の錠前の施解錠を行い、工事完了後に、コンストラクションキー装置を解除すれば、コンストラクションキーは使用不能となり、以後施主又は入居者が使う住戸鍵（合鍵）だけが使えるようになる装置のことで、工事中における施工者の錠前施解錠作業及び鍵管理業務の合理化を図り、更に施主又は入居者のより一層の安全を確保するために案出されたものである。
【０００５】
尚、ここで合鍵とは、所謂スペアキー（予備の鍵）のことではなく、一の錠前を解錠するための正規の鍵形状を有する鍵をいうものとする。
【０００６】
【発明が解決しようとする課題】
この発明は、前記ロータリーディスクタンブラー錠のバックアップピンを回動させることにより解除可能で、前記特願２００１−３１６８８５に係るロータリーディスクタンブラー錠に適用し得る新規なコンス装置を提供することを目的としている。
【０００７】
【課題を解決するための手段】
上記の目的を達成するため、請求項１に記載の発明は、ロータリーディスクタンブラー錠のバックアップピンの断面形状を円形にすると共に、このバックアップピンを、鍵孔の側方においてこれと平行に延在するように配設し、一方、各ロータリーディスクタンブラーの鍵挿通孔の開口端縁に、支軸の回りを揺動するときバックアップピンと干渉しないように円弧状の逃げ溝を形成し、他方、少なくとも１枚のロータリーディスクタンブラーを休止タンブラーとして指定すると共に、この休止タンブラーと交差するバックアップピンの部分をその中心軸に平行な平面で部分的に削いで断面略Ｄ字形とし、これに対応して、休止タンブラーの逃げ溝内に係止段部を形成し、コンストラクションキー装置作動時、バックアップピンをその平面部が逃げ溝とほぼ直交する角度位置に置き、休止タンブラーが係止段部を介してバックアップピンに係止され、その解錠切欠がロッキングバーの内側縁と整合する解錠角度位置をとるようにし、以て休止タンブラーに臨む部分より先のブレードを切り欠いて短くした工事専用のコンストラクションキーの使用を可能にし、また、この休止タンブラーを除く他のロータリーディスクタンブラーの内少なくとも１枚をリセットタンブラーと置換し、このリセットタンブラーに臨むバックアップピンの部分に半径方向に延伸する作動片を突設し、一方、リセットタンブラーにその回動時上記作動片と干渉する駆動突起を形成すると共に、リセットタンブラーを支軸に遊動可能に軸支し、リセットタンブラーの係合突起に臨むブレード平面部を確保した合鍵の操作時、リセットタンブラーの回動及び内筒の回動に伴うリセットタンブラーの半径方向の移動により、その駆動突起と作動片の係合によってバックアップピンを回動させ、休止タンブラーに臨む部分の平面部が逃げ溝に平行になるようにし、以て休止タンブラーとバックアップピンとの係合を解いてコンストラクションキーの使用を不可能にするようにしたことを特徴とする。
【０００８】
【実施例】
以下、この発明の実施例を図２乃至図１７を参照して説明する。
図２及び図３において符号１２は外筒を、符号１３は内筒を夫々示し、外筒１２には前記１１と係合する断面Ｖ字形のカム溝１４が形成されている。
【０００９】
そして、ロッキングバー１１は、図示しないロッキングバーばねによってこのカム溝１４に弾圧されるように、換言すれば図２で下方に付勢されている。
【００１０】
一方、内筒１３は、従来周知のレバータンブラー錠のように、複数枚の仕切板１５、１５を一対のリテーナ１６、１６（図２及び図４参照）により相互に一体的に結合し、外端にキーガイド１７を、内端にテールプラグ１８（図３参照）を装着してなる。
【００１１】
そして、一の仕切板１５と隣接する他の仕切板１５との間に形成されたスロット（隙間）１９に前記ロータリーディスクタンブラー２（図１参照）が収納され、支軸３によって揺動可能に軸支されると共に、タンブラーばね２１（図１参照）の弾力により、係合突起７が合鍵６のブレードに近接する方向に付勢されていることは前記した通りである。
【００１２】
この発明によるコンス装置を備えたロータリーディスクタンブラー錠においては、図２に示すように、バックアップピン８の断面形状を円形にすると共に、このバックアップピン８を、鍵孔の側方においてこれと平行に延在するように配設している。
【００１３】
これに対応して、図４に示すように、各ロータリーディスクタンブラー２の鍵挿通孔１の開口端縁に、支軸３の回りを揺動するときバックアップピン８と干渉しないように円弧状の逃げ溝２２が形成されている。
【００１４】
なお、図４に示すタンブラーは後述する休止タンブラーであるが、休止タンブラーではない標準のタンブラーにおいても同様である。
【００１５】
他方、少なくとも１枚のロータリーディスクタンブラーが休止タンブラー２３として指定されている。
【００１６】
図示の実施例では、図３に示すように、奥の（右方の）７枚のタンブラーが休止タンブラー２３として指定されている。
【００１７】
そして、図４に示すように、この休止タンブラー２３と交差するバックアップピン８の部分をその中心軸に平行な平面で部分的に削いで断面略Ｄ字形としている。
【００１８】
これに対応して、図９及び図１０に示すように、休止タンブラーの逃げ溝２２内に係止段部２４が形成されている。
【００１９】
そして、コンストラクションキー装置作動時、バックアップピン８は図４に示す角度位置、すなわち、その平面部が逃げ溝２２とほぼ直交する角度位置に置かれ、図示しないタンブラーばねによって図４で反時計方向に付勢された休止タンブラー２３が上記係止段部２４を介してバックアップピン８に係止されるように構成されている。
【００２０】
すなわち、断面Ｄ字形のバックアップピン８が図４に示す角度位置をとる結果、逃げ溝２２から見てバックアップピン８が一番太く見えるので、逃げ溝の幅をその開口端部において狭めている上記係止段部２４がバックアップピン８に係止されるのである。
【００２１】
なお、図４に示すバックアップピン８の回動角度位置は、バックアップピンばね２５（図３参照）の弾力によりテールプラグ１８に弾圧されたバックアップピンとその支持孔との間の摩擦力により準安定的に保持される。
【００２２】
上記したように、また、図４に示すように、休止タンブラー２３が係止段部２４を介してバックアップピン８に係止された状態において、その解錠切欠４がロッキングバー１１の内側縁と整合するように逃げ溝２２における係止段部２４の位置を設定するものとし、このときの休止タンブラー２３の支軸３回りの角度位置を休止タンブラーの解錠角度位置とする。
【００２３】
図４から明らかなように、休止タンブラー２３は鍵孔５に合鍵が挿入されなくても常時解錠角度位置に係止されているので、休止タンブラー２３に臨む部分より先のブレードを切り欠いて短くした工事専用のコンストラクションキー２６（図３参照）の使用が可能である。
【００２４】
換言すれば、コンストラクションキー２６によってこのロータリーディスクタンブラー錠の施解錠制御が可能である。
【００２５】
一方、この発明によるコンス装置を解除するため、上記休止タンブラーを除く他のロータリーディスクタンブラーの内、少なくとも１枚がリセットタンブラーと置換されている。
【００２６】
換言すれば、鍵違いを得る為のタンブラーとしてではなく、コンス装置を解除するためにのみ使用されるリセットタンブラーとして指定されている。
【００２７】
このリセットタンブラー２７は、図３に示すように、７枚の休止タンブラー２３、２３の外側で、コンストラクションキー２６の先端が届かないスロットに収納されている。
【００２８】
上記リセットタンブラー２７は、図５に示すように、全体の形状が略Ｃ字形のレバー状の部材で、他のロータリーディスクタンブラー２と同様に鍵孔５に対向する端縁部に係合突起７が突設されており、また、その上端に開口した縦長の長穴２８を介して、前記支軸３に揺動可能に、かつ図５で上下方向に遊動可能に軸支されている。
【００２９】
更にまた、図示しないタンブラーばね２１（図１参照）の弾力により、その係合突起７が鍵孔５に近接する方向に付勢されていることは、他のロータリーディスクタンブラー２と同様である。
【００３０】
他方、図３及び図５に示すように、このリセットタンブラー２７に臨むバックアップピン８の部分に、半径方向（図５で下方）に延伸する作動片２９が一体に突設されている。
【００３１】
この作動片２９に対応して、図５に示すように、リセットタンブラー２７には駆動突起３１が形成されている。
【００３２】
図示の実施例では、作動片２９とバックアップピン８とを収納するため幅を大きくした逃げ溝２２（図４参照）の開口端縁部を内側に突出させた態様で、上記駆動３１が形成されている。
【００３３】
上記のように構成されたコンス装置を備えたロータリーディスクタンブラー錠は、奥の７枚のロータリーディスクタンブラー２、２が解錠角度位置に係止されて休止タンブラーとなっているから、これらの休止タンブラー２３、２３に触らず、また、入口側の３枚のロータリーディスクタンブラー２、２に対しては合鍵となっているコンストラクションキー２６によって、建築工事中ロータリーディスクタンブラー錠の施解錠を行うことができるのは前記した通りである。
【００３４】
工事が終った後、施工主或いは居住者に住戸鍵（合鍵）６が渡されて、例えば居住者がこの合鍵をロータリーディスクタンブラー錠の鍵孔に挿入するとする。
【００３５】
この合鍵６は、図３に示すように、内筒１３の奥迄届く長いもので、しかも、その必要が無いのでリセットタンブラー２７の係合突起７に臨む部分には窪み９（図１参照）が無く、ブレード平面部が確保されている。
【００３６】
この合鍵の最初の挿入時、鍵孔６内に係入しているロータリーディスクタンブラー２、２を合鍵先端に形成されている傾斜端縁部が押し退けつつ合鍵が侵入して行くが、この態様は図５に示すリセットタンブラー２７においても同様である。
【００３７】
そして、合鍵のブレードの平面を確保した部分がリセットタンブラーの係合突起７に当接するに致ると、図６に示すように、タンブラーばねの弾力に抗してリセットタンブラーが支軸３を中心にして時計方向に回動し、その駆動突起３１がバックアップピン８の作動片２９を介してバックアップピン８を時計方向に回動させる。
【００３８】
そして、合鍵６が完全に挿入されると、休止タンブラーは最初から、その他のロータリーディスクタンブラー２、２は合鍵６の対応する窪み９により解錠切欠４をロッキングバー１１の内側縁に整合させ、その結果ロータリーディスクタンブラー錠は解錠されるから、内筒１３は回動可能になる。
【００３９】
この状態から内筒１３を少し回動させると、図７に示すように、ロッキングバー１１が外筒１２のカム溝１４を脱出して外筒の内周面に乗り上がり、その結果、ロッキングバー１１の内側縁に押動されてリセットタンブラー２７及びこれと一体の駆動突起３１が少し上昇する。
【００４０】
すると、駆動突起３１が作動片２９を介してバックアップピン８を更に時計方向に回動させる。
【００４１】
上記リセットタンブラー２７の回動に対応して、図８及び図９に示すように、休止タンブラー２３を解錠角度位置に係止していたバックアップピン８も一体に回動するので、内筒を少し回動させたときには、図９に示すように、バックアップピン８の平面部が逃げ溝２２とほぼ平行になり、このようにして休止タンブラー２３とバックアップピン８との係合が解け、したがってコンストラクションキー装置が解除される。
【００４２】
そして、施解錠操作後合鍵を鍵孔から抜くと、図１０に示すように、タンブラーばねの弾力により休止タンブラー２３が例えば反時計方向に回動してその逃げ溝２２の内端がバックアップピン８と当接するに致り、その結果解錠切欠４がロッキングバー１１と整合する位置から外れ、休止タンブラーがロータリーディスクタンブラーとして復活する。
【００４３】
以後、ロータリーディスクタンブラー２として復活したそれまでの休止タンブラーに臨む部分を切り欠いた、短いコンストラクションキー２６（図３参照）は使用できなくなり、合鍵６のみがロータリーディスクタンブラー錠を施解錠できるようになる。
【００４４】
図１１はこの発明の他の実施例によるコンス装置の休止タンブラーを示し、この実施例は、バックアップピンを２本にし、これらを第１及び第２バックアップピン８、８０として、鍵孔５の両側に対称的に配設したものである。
【００４５】
このようにバックアップピンを２本にする理由は、図１１に示す実施例においては、バックアップピンに掛かる負荷を分散させると共に、バランスを取るためである。
【００４６】
すなわち、前記したように鍵孔５の片側にのみバックアップピンがある場合、例えば図４でタンブラー２３が反時計方向に付勢されている場合にこれをバックアップピン８に係止することができるが、時計方向に付勢されている場合には、休止タンブラー２３をバックアップピン８に係止することができない。
【００４７】
通常、ロータリーディスクタンブラー錠ではタンブラーは付勢方向が交互に反対になるようにしているので、この場合にはバックアップピンは２本必要で、図１１に示す休止タンブラー２３に隣接する他の休止タンブラーは、右側の逃げ溝２２に係止段部２４（図９及び図１０参照）がある。
【００４８】
図１１に示すように第１及び第２バックアップピン８、８０があるとき、コンス装置を解除するには、図１２乃至図１４に示すように、リセットタンブラー２７に第２バックアップピン８０に対応するもう一つの駆動突起３１を増設したリセットタンブラー２７を用いる。
【００４９】
【００５０】
図１５乃至図１７はこの発明の更に他の実施例を示し、この実施例は、図５に示す第１バックアップピン８を駆動するリセットタンブラーとは別に第２バックアップピン８０のみを駆動するリセットタンブラー２７を用意し、第１及び第２バックアップピン８、８０を経時的間隔をおいて別個に駆動することにより、コンス装置を２段階に解除できるようにしたものである。
【００５１】
このようにすると、コンス装置を例えば工事中使用する第１コンス装置と、工事完成後家が売れるまで家主等が使用する管理用の第２コンス装置に切換えることができ、コンス装置としての機能が向上する、という更に別の利点が生じる。
【００５２】
なお、図１５に示すリセットタンブラー２７は、図１２に示すリセットタンブラーから第１バックアップピン８を駆動する駆動突起３１を削除したもので、このリセットタンブラー２７によりコンス装置を解除する態様は、図１５乃至図１７から明らかであり、また、前記したと同様であるから、更に詳細な説明は省略する。
【００５３】
また、言うまでも無いが、図１５に示すリセットタンブラーは図３に示す７枚の休止タンブラーの例えば外側から４枚目の休止タンブラーと置換するものとし、第１コンス装置を解除する第２コンスキー（図示せず）の長さは、この外側から４枚目の休止タンブラーと置換されたリセットタンブラーには届かない長さのものとする。
【００５４】
更にまた、図１５に示すリセットタンブラーは図で左側から右側の第２バックアップピン８０を駆動するためのものであるが、これは図５に示す左側の第１バックアップピン８を駆動するためのリセットタンブラーを裏返して右側に配設することにより、同じ機能を与えることができる。
【００５５】
但し、このときには、第２バックアップピン８及びこれと一体の作動片２９を図５に示すものと左右対称に形成する必要がある。
【００５６】
【発明の効果】
以上の説明から明らかなように、この発明は、少なくとも１枚のロータリーディスクタンブラーを休止タンブラーとして指定すると共に、この休止タンブラーと交差するバックアップピンの部分をその中心軸に平行な平面で部分的に削いで断面略Ｄ字形とし、これに対応して、休止タンブラーの逃げ溝内に係止段部を形成し、コンス装置作動時係止段部とバックアップピンとの係合を介して休止タンブラーを解錠角度位置に係止し、以て休止タンブラーに臨む部分より先のブレードを切り欠いて短くした工事専用のコンストラクションキーの使用を可能にし、コンス装置解除時、合鍵とリセットタンブラーとの係合によりバックアップピンを回動させて休止タンブラーを解放するようにしたので、ロータリーディスクタンブラー錠にコンス装置を組込む、という所期の目的を達成している。
【図面の簡単な説明】
【図１】本出願人が先に提案したロータリーディスクタンブラー錠の横断面図。
【図２】この発明の一実施例によるコンス装置を組込んだロータリーディスクタンブラー錠の正面図。
【図３】その縦断面図。
【図４】休止タンブラーの正面図。
【図５】リセットタンブラーの正面図。
【図６】リセットタンブラーの正面図で、合鍵が鍵孔に挿入された状態を示す。
【図７】図６と同様のリセットタンブラーの正面図で、内筒が少し回動された状態を示す。
【図８】図４と同様の休止タンブラーの正面図で、合鍵が鍵孔に挿入された状態を示す。
【図９】図８と同様の休止タンブラーの正面図で、内筒が少し回動された状態を示す。
【図１０】図８と同様の休止タンブラーの正面図で、施解錠操作後合鍵が鍵孔から抜かれた状態を示す。
【図１１】この発明の他の実施例を示す図４と同様の休止タンブラーの正面図。
【図１２】この発明の他の実施例におけるリセットタンブラーの正面図。
【図１３】図１２と同様のリセットタンブラーの正面図で、合鍵が鍵孔に挿入された状態を示す。
【図１４】図１３と同様のリセットタンブラーの正面図で、内筒が少し回動された状態を示す。
【図１５】この発明の更に他の実施例におけるリセットタンブラーの正面図。
【図１６】図１５と同様のリセットタンブラーの正面図で、合鍵が鍵孔に挿入された状態を示す。
【図１７】図１６と同様のリセットタンブラーの正面図で、内筒が少し回動された状態を示す。
【符号の説明】
１  鍵挿通孔
２  ロータリーディスクタンブラー
３  支軸
４  解錠切欠
５  鍵孔
６  合鍵
７  係合突起
８  バックアップピン
９  窪み
１１  ロッキングバー
１２  外筒
１３  内筒
２２  逃げ溝
２３  休止タンブラー
２４  係止段部
２６  コンストラクションキー
２７  リセットタンブラー
２８  長穴
２９  作動片
３１  駆動突起
【図１】
0004113717.tif 000002
【図２】
0004113717.tif 000003
【図３】
0004113717.tif 000004
【図４】
0004113717.tif 000005
【図５】
0004113717.tif 000006
【図６】
0004113717.tif 000007
【図７】
0004113717.tif 000008
【図８】
0004113717.tif 000009
【図９】
0004113717.tif 000010
【図１０】
0004113717.tif 000011
【図１１】
0004113717.tif 000012
【図１２】
0004113717.tif 000013
【図１３】
0004113717.tif 000014
【図１４】
0004113717.tif 000015
【図１５】
0004113717.tif 000016
【図１６】
0004113717.tif 000017
【図１７】
0004113717.tif 000018